(57)【要約】【課題】音声記録が可能なデジタルカメラに適したモータの駆動方式を提供する。【解決手段】撮影レンズのピント合わせを行うフォーカスモータ２４として、ステッピングモータが用いられている。静止画の撮影を行う場合には、フォーカスモータ２４は二相励磁駆動方式で駆動され、高速なピント合わせを可能にする。動画の撮影とともに音声記録を行う場合には、フォーカスモータ２４をマイクロステップ駆動方式で駆動し、作動音を小さくして音声の記録に影響がないようにする。【選択図】　　　　図３
2004004362.tif 000002
【特許請求の範囲】
【請求項１】
静止画を記録する静止画モードと、音声とともに動画を記録する動画モードとが選択可能であり、撮影レンズのピント合わせをステッピングモータを用いて行うデジタルカメラにおいて、
静止画モード下の撮影時には前記ステッピングモータを二相励磁駆動方式で駆動し、動画モード下の撮影時には前記ステッピングモータをマイクロステップ駆動方式で駆動する駆動手段を備えたことを特徴とするデジタルカメラ。
【請求項２】
静止画を記録する静止画モードと、動画を記録する動画モードとが選択可能であり、撮影レンズのピント合わせをステッピングモータを用いて行うデジタルカメラにおいて、
動画モード下で音声の記録の有無を選択する録音選択部材と、静止画モード下の撮影時には前記ステッピングモータを二相励磁駆動方式で駆動し、動画モード下の撮影で、音声を記録する場合には前記ステッピングモータをマイクロステップ駆動方式で駆動し、音声を記録しない場合には前記ステッピングモータを二相励磁駆動方式で駆動する駆動手段とを備えたことを特徴とするデジタルカメラ。
【請求項３】
静止画を記録する静止画モードと、動画を記録する動画モードとが選択可能であるとともに、動画モードの選択時に音声記録が可能であり、撮影レンズのピント合わせをステッピングモータを用いて行うデジタルカメラにおいて、
前記ステッピングモータの駆動方式を二相励磁駆動方式とマイクロステップ駆動方式とのいずれかから選択するための駆動選択部材と、静止画モード下の撮影時には前記ステッピングモータを二相励磁駆動方式で駆動し、動画モード下の撮影で前記駆動方式選択部材によって二相励磁駆動方式が選択されている場合には、前記ステッピングモータを二相励磁駆動方式で駆動し、マイクロステップ駆動方式が選択されている場合には前記ステッピングモータをマイクロステップ駆動方式で駆動する駆動手段とを備えたことを特徴とするデジタルカメラ。
【発明の詳細な説明】
【０００１】
【発明の属する技術分野】
本発明は、デジタルカメラに関するものである。
【０００２】
【従来の技術】
ＣＣＤイメージセンサ等のイメージセンサで撮影した画像を画像データにデジタル変換し、メモリカード等の記憶媒体に保存するデジタルカメラが普及している。このようなデジタルカメラでは、静止画の他に動画を記録できるものや、動画とともに音声を記録できるものもある。
【０００３】
また、デジタルカメラの多くは、オートフォーカス機能を備えており、撮影距離の変化に追従して自動的にピント合わせを行ったり、静止画を撮影する際にレリーズボタンを半押しとした段階でピント合わせを行ったりしている。このピント合わせは、撮影レンズを構成するレンズを光軸方向に沿ってモータで移動させることで行っている。
【０００４】
【発明が解決しようとする課題】
ところで、動画とともに音声を記録する場合では、ピント合わせの際のモータの作動音がデジタルカメラに内蔵されたマイクで集音されて記録されないようにする必要がある。一方、静止画を撮影する場合では、撮影タイミングを逃さないために、レリーズボタンの半押しに応答させてモータを高速に駆動して瞬時にピント合わせを行う必要がある。
【０００５】
しかしながら、静止画の撮影に対応させてモータを高速に駆動すると、その作動音が大きくなるので、動画とともに音声を記録する場合には適さない。逆に音声を記録することを考慮し、モータを低速で駆動して作動音を小さくすると、静止画の撮影に適さなくなる。
【０００６】
本発明は、上記問題点を考慮してなされたもので、静止画の撮影及び動画と撮影とともに音声を記録に適したモータ駆動を行うことができるデジタルカメラを提供することを目的とする。
【０００７】
【課題を解決するための手段】
上記目的を達成するために、請求項１記載の発明では、静止画モード下の撮影時にはピント合わせを行うステッピングモータを二相励磁駆動方式で駆動し、動画モード下の撮影時には前記ステッピングモータをマイクロステップ駆動方式で駆動する駆動手段を備えたものである。
【０００８】
請求項２記載の発明では、動画モード下で音声の記録の有無を選択する録音選択部材と、静止画モード下の撮影時にはピント合わせを行うステッピングモータを二相励磁駆動方式で駆動し、動画モード下の撮影で、音声を記録する場合には前記ステッピングモータをマイクロステップ駆動方式で駆動し、音声を記録しない場合には前記ステッピングモータを二相励磁駆動方式で駆動する駆動手段とを備えたものである。
【０００９】
請求項３記載の発明では、ピント合わせを行うステッピングモータの駆動方式を二相励磁駆動方式とマイクロステップ駆動方式とのいずれかから選択するための駆動選択部材と、静止画モード下の撮影時には前記ステッピングモータを二相励磁駆動方式で駆動し、動画モード下の撮影で前記駆動方式選択部材によって二相励磁駆動方式が選択されている場合には、前記ステッピングモータを二相励磁駆動方式で駆動し、マイクロステップ駆動方式が選択されている場合には前記ステッピングモータをマイクロステップ駆動方式で駆動する駆動手段とを備えたものである。
【００１０】
【発明の実施の形態】
本発明を実施したデジタルカメラの正面を図１に、背面を図２にそれぞれ示す。カメラボディ２の前面には、撮影レンズ３を保持した鏡筒４，ストロボ発光部５，光学式ファインダ６の対物窓６ａ，録音用のマイク開口７，レリーズボタン８が設けられている。背面には、光学式ファインダ６の接眼窓６ｂ，ＬＣＤ１０，操作部１１，ズームボタン１２，モードツマミ１３が設けられている。また、カメラボディ２の側面には、メモリスロットの蓋（図示せず）が設けられている。メモリスロットには、メモリカード１５（図３参照）を装着可能であり、このメモリカード１５には静止画，動画の画像データ，音声データが記録される。
【００１１】
操作部１１を操作することによって、電源のオン・オフ，撮影モードと再生モードとの切り換え、再生モード下での画像の選択や消去の指示等を行うことができる。操作部１１を操作して、デジタルカメラの電源をオンとすると、鏡胴４が沈胴位置から前方に突出した撮影位置にまで繰り出される。撮影レンズ３は、ズーム式となっており、ズームボタン１２をテレ側またはワイド側に押圧操作することによってズーミングが行われる。
【００１２】
撮影モード下において、モードツマミ１３を操作することによって静止画を撮影する静止画モードと、動画を撮影する動画モードとのいずれかを選択することができる。静止画モード下でレリーズボタン８を押圧操作すると、撮影レンズ３の奥に配されたＣＣＤイメージセンサ１６（図３参照）で撮影された１フレーム分の画像の取り込みが行われ、得られる静止画の画像データがメモリカード１５に記録・保存される。
【００１３】
また、動画モード下では、レリーズボタン８を押圧操作すると、その時点よりＣＣＤイメージセンサ１６による動画の撮影が開始され、レリーズボタン８を再度押圧操作すると動画の撮影が停止されて、得られる動画の画像データがメモリカード１５に記録・保存される。この動画モードでは、動画の撮影とともに音声の録音が行われ、得られる音声データが動画の画像データに対応付けられてメモリカード１５に記録・保存される。この動画モード下での環境の音や声などの音声の録音は、マイク開口７の奥に配されたマイク１８（図３参照）を用いて行われる。
【００１４】
光学式ファインダ６は、撮影レンズ３のズーミングに応じて観察可能な範囲が変化し、撮影範囲を観察することができる。ＬＣＤ１０は、撮影レンズ３を通して撮影される被写体画像をリアルタイムで表示するいわゆる電子ビューファインダを構成するとともに、画像の再生等に使用される。なお、ＬＣＤ１０で動画を再生した際に、それに対応する音声データの再生が可能となるようにデジタルカメラにスピーカー等を設けてもよい。
【００１５】
上記デジタルカメラの構成を図３に示す。システムコントロ−ラ２０は、所定のシーケンスでデジタルカメラの各部を制御する。入力部２１は、レリーズボタン８，操作部１１，ズームボタン１２，モードツマミ１３の操作に応じた操作信号をシステムコントローラ２０に送る。これらの操作信号に基づいて、システムコントローラ２０は、各部を制御して撮影のためのシーケンスを実行する。
【００１６】
撮影レンズ３は、フォーカスレンズ３ａ，ズーム用の変倍レンズ３ｂ，及び絞り３ｃを含んでいる。フォーカスレンズ３ａ，変倍レンズ３ｂ，絞り３ｃは、詳細を後述するように、それぞれ対応するフォーカスモータ２４，ズームモータ２５，絞り用モータ２６によって駆動される。
【００１７】
撮影レンズ３の背後には、前述のようにＣＣＤイメージセンサ１６が配されている。ＣＣＤイメージセンサ１６は、ドライバ２７によって駆動され、光学的な被写体画像を電気的な撮影信号に変換して出力する。ＣＣＤイメージセンサ１６の各受光素子の電荷蓄積量（露光量）は、その電子シャッタと、絞り３ｃとで調節される。
【００１８】
ＣＣＤイメージセンサ１６からの撮影信号は、アナログ処理回路２８に送られ、ゲイン調整，γ処理等が行われる。Ａ／Ｄ変換器２９は、アナログ処理回路２８で処理された撮影信号をＲＧＢの画像データに変換する。なお、画像データとしては、輝度データ，色差データ等であってもよい。Ａ／Ｄ変換器２９からの画像データは、データ処理回路３０，ＡＥ処理回路３１，ＡＦ処理回路３２に送られる。
【００１９】
データ処理回路３０は、ＬＣＤ表示用のガンマ補正，解像度の変更，画像データの記録時のデータ圧縮や読出し時のデータ伸張等のデータ処理を行う。撮影モード下では、処理済みの画像データは、ＬＣＤドライバ３３に送られる。これにより、ＬＣＤ１０には撮影中の被写体画像が動画として表示される。
【００２０】
マイク１８は、動画モード下で作動されて音声を音声信号に変換して出力する。音声信号は、アナログ処理回路３５に送られる。このアナログ処理回路３５は、音声信号の増幅やその増幅率の自動調整を行う。Ａ／Ｄ変換器３６は、アナログ処理回路３５からの音声信号を音声データに変換する。Ａ／Ｄ変換器３６からの音声データは、データ処理回路３０に送られデータ圧縮等が施される。
【００２１】
メディアコントローラ３７は、メモリスロットに装着されているメモリカード１５のデータの入出力を制御する。静止画モード下でレリーズボタン８を押圧操作すると、その直後に得られる１フレーム分の画像データがデータ処理回路３０でデータ圧縮されてから、メディアコントローラ３７に送られメモリカード１５に記録される。
【００２２】
また、動画モード下でレリーズボタン８を押圧操作すると、その直後から次にレリーズボタン８を押圧操作されるまでの期間中に、例えば１／３０秒毎に撮影が行われ、得られる各フレームの画像データがデータ圧縮回路３０でデータ圧縮されてから、メディアコントローラ３７に送られメモリカード１５に記録される。また、この動画モード下では、撮影期間中に得られる音声データもメディアコントローラ３７に送られ、動画データに対応付けて記録される。
【００２３】
なお、この例では画像データ、音声データをデジタルカメラに装着されるメモリカード１５に記録しているが、デジタルカメラにメモリを内蔵させて、そのメモリに記録してもよい。
【００２４】
ＡＥ処理部３１は、Ａ／Ｄ変換器２９から出力される画像データに基づいて、ＣＣＤイメージセンサ１６の露光量が適正となるようにＣＣＤイメージセンサ１６の電子シャッタのシャッタ速度と、絞り３ｃの絞り値とをフィードバック制御する。ＣＣＤイメージセンサ１６の電子シャッタは、ドライバ２７を介して制御される。また、絞り３ｃの絞り値は、ドライバ４１を介して絞り用モータ２６を駆動することによって行われる。絞り用モータ２６としては、ステッピングモータが用いられている。
【００２５】
ＡＦ処理部３２は、Ａ／Ｄ変換器２９から出力される画像データに基づいて、被写体のピント状態を検出し、適正なピント状態となるようフォーカスレンズ３ａを移動させる。例えばピントがあっていない場合には、ＡＦ処理部３２は、フォーカスレンズ３ａを光軸方向に沿って前後に移動してピントのズレ方向を判別してから、ピントが合う位置までフォーカスレンズ３ａを移動させる。このフォーカスレンズ３ａの移動は、ドライバ４２を介してフォーカスモータ２４を駆動することによって行われる。フォーカスモータ２４としては、絞り用モータ２６と同様にステッピングモータが用いられている。
【００２６】
ドライバ４３は、ズームボタン１２の操作に応じてズームモータ２５を駆動する。ズームモータ２５によって変倍レンズ３ｂが光軸に沿って移動することことにより、撮影レンズ３のズーミングが行われる。ズームモータ２５としては、ＤＣモータが用いられている。
【００２７】
各モータ２４〜２６は、それぞれ対応するドライバ４１〜４３によって制御速度を優先した高速駆動モードと、静粛性に優れ音声記録の妨げにならない消音駆動モードとのいずれかの駆動モードで駆動される。動画の撮影時には、各モータ２４〜２６は消音駆動モードで駆動され、それ以外では高速駆動モードで駆動されるように各ドライバ４１〜４６がシステムコントローラ２０で制御される。
【００２８】
ステッピングモータであるフォーカスモータ２４は、駆動モードが高速駆動モードとされているときには、図４にＡ相，Ｂ相の駆動電圧の波形を示すように、駆動電圧が電圧「＋Ｖ０」と「−Ｖ０」とに周期的に切り換えられる二相励磁駆動方式で駆動される。また、消音駆動モードとされているときには、フォーカスモータ２４は、図５に駆動電圧の波形を示すように、駆動電圧を「＋Ｖ０」と「−Ｖ０」との間で段階的に変化させるマイクロステップ駆動方式で駆動される。なお、図５では、縦軸は電圧「Ｖ０」に対する比率で示してある。
【００２９】
この例では、消音駆動モードでは、駆動電圧を９段階に変化させるマイクロステップ駆動となっており、各段階の駆動電圧は電圧Ｖ０に対して＋１００％，＋９２．４％，＋７０．７％，＋３８．３％，０％，−３８．３％，−７０．７％，−９２．４％，−１００％となっている。
【００３０】
マイクロステップ駆動を行う場合には、図５に示されるように、Ａ相，Ｂ相の駆動電圧を段階的に変化させる必要がある。しかしながら、駆動電圧を段階的に変化さるにことは、ドライバの回路構成の複雑化，大規模化を招く。そこで、この例のドライバ４２では、駆動電圧をパルス幅変調（ＰＷＭ）制御することにより、実質的に、図５に示されるような段階的に変化する駆動電圧を得ている。
【００３１】
ドライバ４２は、例えば二相励磁駆動用の駆動電圧を出力する駆動電圧出力回路と、この駆動電圧出力回路からの駆動電圧にパルス幅変調を行う変調回路とから構成されており、高速駆動モード（二相励磁駆動）では、駆動電圧出力回路からの駆動電圧を用いてフォーカスモータ２４を駆動し、消音駆動モード（マイクロステップ駆動）では、駆動電圧出力回路からの駆動電圧を変調回路でパルス幅変調し、このパルス幅変調された駆動電圧でフォーカスモータ２４を駆動する。
【００３２】
図６は、実質的な駆動電圧と、ドライバ４２からのパルス幅変調された駆動電圧波形との関係を示すものである。ドライバ４２は、必要とする駆動電圧に応じたデューティ比の変調信号でパルス幅変調をかける。例えば、駆動電圧として電圧「＋Ｖ０」の＋９２．４％の電圧をフォーカスモータ２４に供給する場合には、オン時間「９２．４％」、オフ時間「７．６％」の変調信号で電圧「＋Ｖ０」の出力電圧を変調する。逆に、駆動電圧として電圧「−Ｖ０」の＋９２．４％の電圧をフォーカスモータ２４に供給する場合には、オン時間「９２．４％」、オフ時間「７．６％」のの変調信号で電圧−Ｖ０の出力電圧を変調する。なお、変調信号としては、十分に信号周期が短いものが用いられる。
【００３３】
ドライバ４３による絞り用モータ２６の駆動については、ドライバ４２によるフォーカシングモータ２４の駆動と同じである。すなわち、ズームモータ２５は、高速駆動モードでは二相励磁駆動方式を用いて、また消音駆動モードではマイクロステップ駆動方式を用いてドライバ４３で駆動される。
【００３４】
高速駆動モード、すなわち二相励磁駆動方式は、マイクロステップ駆動方式と比べて発生トルクが小さいためモータ２４，２６の最高速度を高く設定できる。この例では、二相励磁駆動方式を用いた高速駆動モードでは、マイクロステップ駆動方式を用いた消音駆動モードよりもモータ２４，２６の速度を高く設定してある。したがって、消音駆動モード時の駆動電圧の周期よりも高速駆動モード時のもが短くされている。
【００３５】
ＤＣモータを用いたズームモータ２５については、高速駆動モードでは相対的に高い駆動電圧をドライバ４３から供給してズームモータ２５を高速回転させる駆動方式（以下、高電圧駆動方式という）を、また消音駆動モードでは相対的に低い駆動電圧をドライバ４３から供給してズームモータ２５を比較的に低速で静かに回転させる駆動方式（以下、低電圧駆動方式という）を用いている。
【００３６】
次に上記構成の作用について説明する。操作部１１を操作して電源をオンとするとモード確認が行われ、操作部１１からの操作入力に応じて撮影モード，再生モードのいずれかとなる。なお、いずれかのモードに分岐した後であっても、操作部１１の操作で他のモードに移行することができる。
【００３７】
撮影モード下では、これまでのデジタルカメラと同様、ＣＣＤイメージセンサ１６が撮影した被写体画像の画像データが連続的にデータ処理回路３０に送られ、処理済みの画像データがＬＣＤドライバ３３に送られる。これにより、撮影中の被写体画像が動画としてＬＣＤ１０に表示される。
【００３８】
図７に撮影モード時の処理の概略を示すように、この撮影モード下でレリーズボタン８の操作を待つ待機状態では、各モータ２４〜２６の駆動モードとして高速駆動モードが設定される。
【００３９】
この待機状態で、例えば、ズームボタン１２をテレ側に操作すると、システムコントローラ２０からの指示により、ドライバ４３がズームモータ２５を高速駆動モード、すなわち高電圧駆動方式で駆動することにより、撮影レンズ３の焦点距離が長くなる方向に変倍レンズ３ｂが移動される。逆に、ズームボタン１２をワイド側に操作すれば、ズームモータ２５がドライバ４３によって高速駆動モードで駆動されて、撮影レンズ３の焦点距離を短くする方向に変倍レンズ３ｂが移動する。
【００４０】
上記のようにして撮影レンズ３のズーミングを行ったり、フレーミングの変更によって撮影距離が変化し、ＡＦ処理部３２によってピントが適正になっていないことが検出されると、ＡＦ処理部３２の制御の下でフォーカスモータ２４がドライバ４２で駆動され、ピントが合う位置までフォーカスレンズ３ｃが移動される。
【００４１】
また、被写体輝度の変化がＡＥ処理部３１によって検出されると、このＡＥ処理部３１の制御の下でＣＣＤイメージセンサ１６の電子シャッタのシャッタ速度がドライバ２７を介して制御されるとともに、絞り用モータ２６がドライバ４１で駆動され、適正な露光量が得られるように絞り３ｃの絞り値が制御される。
【００４２】
ズームモータ２５と同様にフォーカスモータ２４と絞り用モータ２６が高速駆動モードで駆動されるように設定されているから、各モータ２４，２６は、いずれも二相励磁駆動方式で駆動される。
【００４３】
上記のように撮影レンズ３のズーミングは、ズームボタン１２の操作に応答して行われ、フォーカシング及び露光量の調節は常時行われている。したがって、撮影者は、ピントが正しく合い適正な明るさの被写体をＬＣＤ１０で観察できる。
【００４４】
例えば静止画を撮影して記録する場合には、モードツマミ１３を操作して静止画モードを選択する。静止画モード下でレリーズボタン８を半押しとすると、ピントが合っているか、適正な露光量となっているかが調べられる。ピントが合っており、また適正な露光量となっている場合には、いわゆるＡＥロック，ＡＦロック状態となり、またレリーズボタン８の全押しを待った状態となる。
【００４５】
ピントが合っていない場合には、上記と同様にピントが合う位置までフォーカスレンズ３ｃが移動され、適正な露光量となっていない場合には、ＣＣＤイメージセンサ１６の電子シャッタのシャッタ速度と、絞り３ｃの絞り値とが適正な露光量となるように調節してから、ＡＥロック，ＡＦロック状態となり、レリーズボタン８の全押しを待った状態となる。
【００４６】
このレリーズボタン８の半押しに応答してフォーカスレンズ３ｃを移動し、また絞り値を変化させるときのフォーカスモータ２４，絞り用モータ２６の駆動は高速駆動モードであるから、フォーカスレンズ３ｃの移動、絞り３ｃの駆動をそれぞれ瞬時にでき、次のレリーズボタン８の全押しの操作に応答した静止画の撮影までのタイムラグを短くできる。
【００４７】
レリーズボタン８をさらに押し込んで全押しとすると、この直後に撮影された１フレーム分の画像データがデータ処理回路３０でデータ圧縮されてからメディアコントローラ３７に送られる。そして、このメディアコントローラ３７によって撮影で得られた１フレーム分の画像データがメモリカード１５に書き込まれる。このようにして、静止画がメモリカード１５に記録される。
【００４８】
一方、動画を記録する場合には、モードツマミ１３を操作して動画モードを選択する。動画モードの選択時では、レリーズボタン８が全押しされると、動画を記録するための動画記録処理が開始される。
【００４９】
図８に示すように、動画記録処理が開始されると、最初に各モータの駆動モードがそれぞれ消音駆動モードに設定される。この後に、動画と、音声の記録とが同時に開始される。動画の記録のためにＣＣＤイメージセンサ１６が１／３０秒間隔で撮影を行い、次々に得られる各フレームの画像データがデータ処理回路３０に送られ、図示しないバッファメモリに書き込まれる。また、音声の記録のためにマイク１８が作動状態とされ、得られる音声データがデータ処理回路３０のバッファメモリに書き込まる。
【００５０】
上記のように動画と音声を記録している間では、ズーミングが許容されるとともに、ピント状態と、露光量の検出が行われる。したがって、ズームボタン１２を操作すれば、ズームモータ２５がドライバ４３で駆動されて撮影レンズ３のズーミングが行われる。また、撮影中にピントが合わない状態になれば、ＡＦ処理部３２の制御によってフォーカスモータ２４がドライバ４３で駆動され、ピントが合う位置までフォーカスレンズ３ａが移動される。
【００５１】
さらに、被写体輝度が変化すれば、適正露光となるように、ＡＥ処理部３１の制御によってＣＣＤイメージセンサ１６の電子シャッタの制御が行われるとともに、絞り用モータ２６がドライバ４１で駆動されて絞り値が切り換えられる。
【００５２】
この動画の撮影中では、消音駆動モードに設定されているので、フォーカシングモータ２４，絞り用モータ２６は、いずれもマイクロステップ駆動方式で駆動される。また、ズームモータ２５は、低電圧駆動される。このため、これらの各モータ２４〜２６は、十分に小さい作動音で駆動され、その音がマイクで集音されることはなく、動画を撮影中の音声を良好な状態で録音できる。
【００５３】
また、フォーカスモータ２４を駆動するときの駆動形態は、一般的に駆動開始と停止とを短時間に繰り返し行う断続的なものとなることが多い。そして、ステッピングモータの作動音のうちで特に大きなものとしては、モータの駆動開始、停止時の衝突音がある。この衝突はリードスクリューやナットあるいはレンズ枠等の構造物間の衝突で生じるものであり、機械的な隙間（ガタ）があるために生じる。そのため、駆動開始や停止時に急激な加減速を行うと衝突音が発生する。しかし、マイクロステップ駆動方式では、滑らかな加減速を行うことができるので動画撮影中では消音効果が得られる。また、マイクロステップ駆動方式では、振動が少ないのでカメラブレが発生しにくい。
【００５４】
動画の撮影開始後、レリーズボタン８を押圧操作すると、その時点で動画の撮影、及び音声の録音が終了する。そして、得られる動画データと、音声データとがデータ圧縮されてからメディアコントローラ３７に送られ、メモリカード１５に書き込まれる。この後に、レリーズボタン８の操作を待つ待機状態での処理に戻り、各モータ２４〜２６の駆動が高速駆動モードに設定される。
【００５５】
図９は、レリーズボタンの操作を待っている待機状態の駆動モードを消音駆動モードとした例を示すものである。この例では、待機状態の各モータ２４〜２６の駆動モードが消音駆動モードとされ、静止画モードでレリーズボタン８が半押しとされると、高速駆動モードとなる。これによれば、待機状態では、消費電力が二相励磁駆動方式に比べて低いマイクロステップ駆動方式で各モータ２４，２６が駆動されるので、電源電池を容量を節約できる。なお、ズームモータ２６の待機状態における駆動モードを高速駆動モードとしてもよい。
【００５６】
図１０は動画モード時に音声の記録の有無を選択可能にするとともに、この音声記録の有無に応じてモータの駆動モードを切り換える例を示すものである。この例では、図１０に示されるように、動画モード時に音声を記録するか否かを選択するための録音選択部材５１がカメラボディ２の背面側に設けられている。
【００５７】
録音選択部材５１を音声記録のＯＮ側にセットすると録音モードとなり、最初の実施形態と同様に動画の撮影時には音声の記録が行われる。また、録音選択部材５１をＯＦＦ側にセットすると非録音モードとなって、音声の記録は行われずに動画だけの撮影が行われる。そして、録音モードとなっている場合には、図１１に示すように、動画の撮影中に各モータ２４〜２６は消音駆動モードで駆動され、非録音モードとなっている場合には、動画の撮影中に各モータ２４〜２６は高速駆動モードで駆動される。
【００５８】
図１２は動画モード時に、手動でのモータの駆動モードの選択を可能にして例を示すものである。この例では、動画モード時の各モータ２４〜２６の駆動モードを選択するための駆動選択部材５２がカメラボディ２の背面側に設けられている。図１３に示すように、駆動選択部材５２を無音側にセットすると、最初の実施形態と同様に動画の撮影時には各モータ２４〜２６の消音駆動モードで駆動される。また、駆動選択部材５２を速度側にセットすると、動画の撮影中に各モータ２４〜２６が高速駆動モードで駆動されるようになって、ズーミング，フォーカシング，露光量制御の速度を優先させた撮影が可能になる。
【００５９】
【発明の効果】
以上のように、本発明によれば、動画を撮影するとともに音声を記録する場合にピント合わせ用のステッピングモータをマイクロステップ駆動し、静止画を撮影する場合にはステッピングモータを二相励磁駆動するようにしたから、音声を記録する際にステッピングモータの作動音を抑えて良好に録音ができるとともに、静止画の撮影時には高速なピント合わせが可能となって撮影タイミングを逃しにくくすることができる。
【図面の簡単な説明】
【図１】本発明を実施したデジタルカメラの正面を示す斜視図である。
【図２】デジタルカメラの背面を示す斜視図である。
【図３】デジタルカメラの構成を示すブロック図である。
【図４】二相励磁駆動方式の駆動電圧の波形を示すグラフである。
【図５】マイクロステップ駆動方式の駆動電圧の波形を示すグラフである。
【図６】マイクロステップ駆動時のパルス幅変調された駆動電圧の波形と実質的に得られる駆動電圧の関係を示すグラフである。
【図７】撮影モード下における処理手順の概略を示すフローチャートである。
【図８】動画モードでの処理手順の概略を示すフローチャートである。
【図９】待機状態でモータを消音駆動モードで駆動する例を示すものである。
【図１０】音声記録の有無に応じてモータの駆動モードを切り換える例を示すものである。
【図１１】図１０の例における動画モードでの処理手順の概略を示すフローチャートである。
【図１２】動画モード時にモータの駆動モードを手動で選択可能にした例を示すものである。
【図１３】図１２の例における動画モードでの処理手順の概略を示すフローチャートである。
【符号の説明】
３　撮影レンズ
１２　ズームボタン
１３　モードツマミ
２０　システムコントローラ
２４〜２６　モータ
４１〜４３　ドライバ
３１　ＡＥ処理部
５１　録音選択部材
５２　駆動選択部材
【図１】
2004004362.tif 000003
【図２】
2004004362.tif 000004
【図３】
2004004362.tif 000005
【図４】
2004004362.tif 000006
【図５】
2004004362.tif 000007
【図６】
2004004362.tif 000008
【図７】
2004004362.tif 000009
【図８】
2004004362.tif 000010
【図９】
2004004362.tif 000011
【図１０】
2004004362.tif 000012
【図１１】
2004004362.tif 000013
【図１２】
2004004362.tif 000014
【図１３】
2004004362.tif 000015